(57)【要約】  植物成長促進組成物は、有益な微生物および微生物活性化剤を含む。有益な微生物は、バシラス属の種（Ｂａｃｉｌｌｕｓ  ｓｐｐ．）、アゾトバクター属の種（Ａｚｏｔｏｂａｃｔｅｒ  ｓｐｐ．）、トリコデルマ属の種（Ｔｏｒｉｃｈｏｄｅｒｍａ  ｓｐｐ．）、サッカロミセス属の種（Ｓａｃｃｈａｒｏｍｙｃｅｓ  ｓｐｐ．）、またはそれらの組み合わせを含むことができる。【特許請求の範囲】
【請求項１】
植物成長促進組成物であって、
有益な微生物、および
微生物活性化剤
を含み、
前記有益な微生物は、バシラス属の種（Ｂａｃｉｌｌｕｓ  ｓｐｐ．）、アゾトバクター属の種（Ａｚｏｔｏｂａｃｔｅｒ  ｓｐｐ．）、トリコデルマ属の種（Ｔｏｒｉｃｈｏｄｅｒｍａ  ｓｐｐ．）、サッカロミセス属の種（Ｓａｃｃｈａｒｏｍｙｃｅｓ  ｓｐｐ．）、およびそれらの組み合わせからなる群より選択される、組成物。
【請求項２】
前記有益な微生物は、バシラス・ポリミクサ（Ｂａｃｉｌｌｕｓ  ｐｏｌｙｍｙｘａ）、バシラス・サブティリス（Ｂａｃｉｌｌｕｓ  ｓｕｂｔｉｌｉｓ）、アゾトバクター・クルーコッカム（Ａｚｏｔｏｂａｃｔｅｒ  ｃｈｒｏｏｃｏｃｃｕｍ）、トリコデルマ・ハルジアナム（Ｔｏｒｉｃｈｏｄｅｒｍａ  ｈａｒｚｉａｎｕｍ）、サッカロミセス・セレビシエ（Ｓａｃｃｈａｒｏｍｙｃｅｓ  ｃｅｒｅｖｉｓｉａｅ）、およびそれらの組み合わせからなる群より選択される、請求項１記載の組成物。
【請求項３】
前記微生物活性化剤は、酵素前駆体、微生物代謝産物、有機酸、炭水化物、酵素、およびそれらの組み合わせからなる群より選択される、請求項１記載の組成物。
【請求項４】
前記微生物活性化剤は、加工酵母製品、腐植物質、海草抽出物、デンプン、アミノ酸、およびそれらの組み合わせからなる群より選択される、請求項１記載の組成物。
【請求項５】
前記加工酵母製品は、酵母自己消化物を含む、請求項４記載の組成物。
【請求項６】
Ｚｎ、Ｃｕ、Ｍｎ、ＢおよびＭｏからなる群より選択される微量元素を含む、請求項４記載の組成物。
【請求項７】
前記有益な微生物は、前記組成物の１〜５０重量パーセントを構成する、請求項１記載の組成物。
【請求項８】
前記有益な微生物は、前記組成物の１〜２０重量パーセントを構成する、請求項７記載の組成物。
【請求項９】
前記有益な微生物は、前記組成物の１〜１０重量パーセントを構成する、請求項８記載の組成物。
【請求項１０】
有機肥料をさらに含む、請求項１記載の組成物。
【請求項１１】
前記有機肥料は、糞尿堆肥、生堆肥、有機廃棄物、およびそれらの組み合わせからなる群より選択される、請求項１０記載の組成物。
【請求項１２】
前記有益な微生物は、前記組成物の１〜２０重量パーセントを構成し、前記微生物活性化剤は、前記組成物の５〜５０重量パーセントを構成し、かつ前記有機肥料は、前記組成物の３０〜９４重量パーセントを構成する、請求項１０記載の組成物。
【請求項１３】
前記有益な微生物は、前記組成物の１〜１０重量パーセントを構成し、前記微生物活性化剤は、前記組成物の１０〜４０重量パーセントを構成し、かつ前記有機肥料は、前記組成物の５０〜８９重量パーセントを構成する、請求項１２記載の組成物。
【請求項１４】
前記有益な微生物は、前記組成物の１〜５重量パーセントを構成し、前記微生物活性化剤は、前記組成物の２５〜３５重量パーセントを構成し、かつ前記有機肥料は、前記組成物の６０〜７４重量パーセントを構成する、請求項１３記載の組成物。
【請求項１５】
化学肥料をさらに含む、請求項１０記載の組成物。
【請求項１６】
前記化学肥料は、尿素、リン酸カルシウム、リン酸カリウムおよびＮＰＫ混合肥料、並びにそれらの組み合わせからなる群より選択される、請求項１５記載の組成物。
【請求項１７】
前記有益な微生物は、前記組成物の０．１〜１０重量パーセントを構成し、前記微生物活性化剤は、前記組成物の２〜５０重量パーセントを構成し、前記有機肥料は、前記組成物の５〜９２．９重量パーセントを構成し、かつ前記化学肥料は、前記組成物の５〜９２．９重量パーセントを構成する、請求項１５記載の組成物。
【請求項１８】
前記有益な微生物は、前記組成物の０．１〜５重量パーセントを構成し、前記微生物活性化剤は、前記組成物の５〜５０重量パーセントを構成し、前記有機肥料は、前記組成物の１０〜８９．９重量パーセントを構成し、かつ前記化学肥料は、前記組成物の５〜８４．９重量パーセントを構成する、請求項１７記載の組成物。
【請求項１９】
前記有益な微生物は、前記組成物の０．１〜５重量パーセントを構成し、前記微生物活性化剤は、前記組成物の５〜４０重量パーセントを構成し、前記有機肥料は、前記組成物の１０〜７４．９重量パーセントを構成し、かつ前記化学肥料は、前記組成物の２０〜８４．９重量パーセントを構成する、請求項１８記載の組成物。
【請求項２０】
粉末、顆粒、ペレットおよび液体の形態を有する、請求項１記載の組成物。
【請求項２１】
植物成長促進組成物の製造方法であって、
原料を粉砕し混合する工程、
前記粉砕され混合された原料を８０〜３００℃の温度で乾燥して造粒生成物を得る工程、
前記造粒生成物を微生物および糖蜜と混合する工程、および
前記粉砕され混合された造粒生成物を８０℃以下の温度で乾燥することによって前記組成物を得る工程
を含む方法。
【請求項２２】
植物の成長を促進する方法であって、
植物成長促進組成物を施用する工程を含み、
前記植物成長促進組成物は、有益な微生物および微生物活性化剤を含み、かつ前記有益な微生物は、バシラス属の種（Ｂａｃｉｌｌｕｓ  ｓｐｐ．）、アゾトバクター属の種（Ａｚｏｔｏｂａｃｔｅｒ  ｓｐｐ．）、トリコデルマ属の種（Ｔｏｒｉｃｈｏｄｅｒｍａ  ｓｐｐ．）、サッカロミセス属の種（Ｓａｃｃｈａｒｏｍｙｃｅｓ  ｓｐｐ．）、およびそれらの組み合わせからなる群より選択される、方法。
【請求項２３】
前記有益な微生物は、バシラス・ポリミクサ（Ｂａｃｉｌｌｕｓ  ｐｏｌｙｍｙｘａ）、バシラス・サブティリス（Ｂａｃｉｌｌｕｓ  ｓｕｂｔｉｌｉｓ）、アゾトバクター・クルーコッカム（Ａｚｏｔｏｂａｃｔｅｒ  ｃｈｒｏｏｃｏｃｃｕｍ）、トリコデルマ・ハルジアナム（Ｔｏｒｉｃｈｏｄｅｒｍａ  ｈａｒｚｉａｎｕｍ）、サッカロミセス・セレビシエ（Ｓａｃｃｈａｒｏｍｙｃｅｓ  ｃｅｒｅｖｉｓｉａｅ）、およびそれらの組み合わせからなる群より選択される、請求項２２記載の方法。
【請求項２４】
前記微生物活性化剤は、酵母自己消化物、腐植粉末、海草抽出物、デンプン、アミノ酸、およびそれらの組み合わせからなる群より選択される、請求項２２記載の組成物。
【請求項２５】
前記植物成長促進組成物は、有機肥料をさらに含む、請求項２２記載の方法。
【請求項２６】
前記有機肥料は、糞尿堆肥、生堆肥、有機廃棄物、およびそれらの組み合わせからなる群より選択される、請求項２５記載の方法。
【請求項２７】
前記植物成長促進組成物は、化学肥料をさらに含む、請求項２５記載の方法。
【請求項２８】
前記化学肥料は、尿素、リン酸カルシウム、リン酸カリウムおよびＮＰＫ混合肥料、並びにそれらの組み合わせからなる群より選択される、請求項２７記載の組成物。
【発明の詳細な説明】
【技術分野】
【０００１】
この出願は、２００７年６月２０日に「微生物製剤および植物の成長促進にそれを使用する方法」という発明の名称で出願された米国仮出願第６０／９４５，１４９号による優先権を主張するものであり、その内容はここに参照文献として組み込まれる。
【背景技術】
【０００２】
世界中の農業で、植物の成長を助ける栄養分を与えるため、過剰な量の化学肥料が使用されている。化学肥料は近代農業に利益をもたらしてきた一方、その使用の増加に伴い、農地の土壌の特性や品質を劣化させていることが報告されている。化学肥料の過度の使用は、土壌の圧縮や弱体化をひき起こし、結果的に、生産収率および肥料の使用効率をともに低下させている。したがって、農地を継続して使用できることは非常に重要であり、また、化学肥料の過度の使用も食物の安全や環境の保全にとって重要である。
【０００３】
微生物を用いる生物学的肥料に関する最近の研究は、これを保証している。例えば、肥料における微生物の使用は、土壌に良好な生物学的活性を与え、病原性土壌生物を抑え、根系の周囲の微生物活性を高めて植物の質量を増大させるとともに植物の健康状態を高め、窒素、リン酸塩、カリウムなどの必須栄養素を放出させ、土壌の孔隙率、保水性および通気性を改善し、かつ土壌の圧縮および弱体化を低減することによって、土壌に長期にわたる生産力を付与し維持する助けとなり得る。
【発明の概要】
【発明が解決しようとする課題】
【０００４】
とはいえ、微生物肥料によりもたらされる潜在的利益を利用するために克服しなければならない技術的課題が存在する。第１に、商業的に実行可能であるためには、微生物製品は安定性の高いものでなければならない。したがって、安定した微生物を生産する高度な製造技術および製剤技術が望まれる。第２に、土壌に添加した後、微生物個体群を維持し増殖させることは難しく、微生物が土壌中で確実に働くようにする高度な技術が必要である。第３に、微生物を、有機肥料、化学肥料などの他の肥料成分と製剤化することが望ましい。したがって、微生物含有肥料製品の適合性を確保する新しい微生物製剤技術が必要である。
【課題を解決するための手段】
【０００５】
一態様によれば、植物成長促進組成物は、有益な微生物および微生物活性化剤を含む。有益な微生物は、バシラス属の種（Ｂａｃｉｌｌｕｓ  ｓｐｐ．）、アゾトバクター属の種（Ａｚｏｔｏｂａｃｔｅｒ  ｓｐｐ．）、トリコデルマ属の種（Ｔｏｒｉｃｈｏｄｅｒｍａ  ｓｐｐ．）およびサッカロミセス属の種（Ｓａｃｃｈａｒｏｍｙｃｅｓ  ｓｐｐ．）からなる群より選択することができる。微生物活性化剤は、酵母自己消化物などの加工酵母製品、腐植物質、海草抽出物、デンプン、アミノ酸、および／またはＺｎ、Ｆｅ、Ｃｕ、Ｍｎ、ＢおよびＭｏなどの微量元素から選択することができる。
【０００６】
他の態様によれば、植物成長促進組成物は、有益な微生物、微生物活性化剤および有機肥料を含む。
【０００７】
さらに他の態様によれば、植物成長促進組成物は、有益な微生物、微生物活性化剤、有機肥料および化学肥料を含む。
【０００８】
他の態様によれば、植物成長促進組成物の製造方法は、原料を粉砕し混合する工程、粉砕され混合された原料を８０〜３００℃の温度で乾燥して造粒生成物を得る工程、造粒生成物を微生物および糖蜜と混合する工程、および粉砕され混合された造粒生成物を８０℃
以下の温度で乾燥することによって前記組成物を得る工程を含む。
【０００９】
さらに他の態様によれば、植物成長を促進する方法は、植物成長促進組成物を施用する工程を含む。植物成長促進組成物は、有益な微生物および微生物活性化剤を含む。
【図面の簡単な説明】
【００１０】
【図１Ａ】図１Ａはトリコデルマ属（Ｔｏｒｉｃｈｏｄｅｒｍａ）菌を施用した試験植物の３８日目の根乾燥重量を示す。
【図１Ｂ】図１Ｂはトリコデルマ属（Ｔｏｒｉｃｈｏｄｅｒｍａ）菌を施用した試験植物の３８日目のシュート乾燥重量を示す。
【図２Ａ】図２Ａは微生物ブレンドを施用した試験植物の４１日目の平均高さを示す。
【図２Ｂ】図２Ｂは微生物ブレンドを施用した試験植物の４１日目の平均キャノピーを示す。
【図２Ｃ】図２Ｃは微生物ブレンドを施用した試験植物の４１日目の平均茎直径を示す。
【図２Ｄ】図２Ｄは微生物ブレンドを施用した試験植物の４１日目の平均クロロフィル指数を示す。
【図３Ａ】図３Ａはトリコデルマ属（Ｔｏｒｉｃｈｏｄｅｒｍａ）菌および種々の微生物活性化剤を施用した試験植物の３５日目のキャノピーを示す。
【図３Ｂ】図３Ｂはトリコデルマ属（Ｔｏｒｉｃｈｏｄｅｒｍａ）菌および種々の微生物活性化剤を施用した試験植物の３５日目の茎直径を示す。
【図３Ｃ】図３Ｃはトリコデルマ属（Ｔｏｒｉｃｈｏｄｅｒｍａ）菌および種々の微生物活性化剤を施用した試験植物の３５日目のシュート乾燥重量を示す。
【図３Ｄ】図３Ｄはトリコデルマ属（Ｔｏｒｉｃｈｏｄｅｒｍａ）菌および種々の微生物活性化剤を施用した試験植物の３５日目の根乾燥重量を示す。
【図４Ａ】図４Ａはバシラス・サブティリス（Ｂｃｉｌｌｕｓ  ｓｕｂｓｔｉｌｉｓ）および種々の微生物活性化剤を施用した試験植物の２１日目の高さを示す。
【図４Ｂ】図４Ｂはバシラス・サブティリス（Ｂｃｉｌｌｕｓ  ｓｕｂｓｔｉｌｉｓ）および種々の微生物活性化剤を施用した試験植物の２１日目のキャノピーを示す。
【図４Ｃ】図４Ｃはバシラス・サブティリス（Ｂｃｉｌｌｕｓ  ｓｕｂｓｔｉｌｉｓ）および種々の微生物活性化剤を施用した試験植物の２１日目のシュート乾燥重量を示す。
【図４Ｄ】図４Ｄはバシラス・サブティリス（Ｂｃｉｌｌｕｓ  ｓｕｂｓｔｉｌｉｓ）および種々の微生物活性化剤を施用した試験植物の２１日目の根乾燥重量を示す。
【図５Ａ】図５Ａは図２Ａの微生物ブレンドおよび種々の微生物活性化剤を施用した試験植物の４１日目の平均高さを示す。
【図５Ｂ】図５Ｂは図２Ｂの微生物ブレンドおよび種々の微生物活性化剤を施用した試験植物の４１日目の平均キャノピーを示す。
【図５Ｃ】図５Ｃは図２Ｃの微生物ブレンドおよび種々の微生物活性化剤を施用した試験植物の４１日目の平均茎直径を示す。
【図５Ｄ】図５Ｄは図２Ｄの微生物ブレンドおよび種々の微生物活性化剤を施用した試験植物の４１日目の平均クロロフィル指数を示す。
【図６Ａ】図６Ａは有機肥料を含む植物成長促進組成物を施用した試験植物の高さを示す。
【図６Ｂ】図６Ｂは有機肥料を含む植物成長促進組成物を施用した試験植物の冠直径を示す。
【図６Ｃ】図６Ｃは有機肥料を含む植物成長促進組成物を施用した試験植物の根量を示す。
【図６Ｄ】図６Ｄは有機肥料を含む植物成長促進組成物を施用した試験植物のシュート量を示す。
【図７Ａ】図７Ａは化学肥料を含む植物成長促進組成物および有機肥料からなる第１の試料を施用した植物のシュート量を示す。
【図７Ｂ】図７Ｂは化学肥料を含む植物成長促進組成物および有機肥料からなる第２の試料を施用した植物のシュート量を示す。
【図７Ｃ】図７Ｃは化学肥料を含む植物成長促進組成物および有機肥料からなる第３の試料を施用した植物のシュート量を示す。
【図８】図８は化学肥料液中の選択された微生物の安定性を示す。
【図９Ａ】図９Ａは植物成長促進組成物の製造における造粒プロセスの第１の工程を示す。
【図９Ｂ】図９Ｂは植物成長促進組成物の製造における造粒プロセスの第２の工程を示す。
【発明を実施するための形態】
【００１１】
以下、本発明の特定の一実施形態について詳細に説明し、その例もまた以下に説明する。本発明の代表的な実施形態を詳細に説明する。本発明を明確にするために、本発明の理解にあたってあまり重要でない特徴を示さないことがあることは、当業者には明らかであろう。
【００１２】
さらに、本発明が下記に説明する実施形態そのものに限定されるものではなく、また、当業者が本発明の精神および要旨を逸脱しない範囲で種々変更および修正可能であることは理解されるべきである。例えば、本明細書および添付した請求項の範囲内で、異なる実施形態の構成要素および／または特徴を相互に組み合わせたり、かつ／または相互に置換したりすることができる。また、本明細書、図面および添付した請求項を読んだ後に、当業者に明らかになる改善や修正は、本発明の精神および範囲内のものであるとみなされる。
【００１３】
植物成長促進組成物は、有益な微生物および微生物活性化剤を含むことができる。充填剤などの不活性成分もまた、本組成物に含有させることができる。
【００１４】
有益な微生物としては、バシラス属の種（Ｂａｃｉｌｌｕｓ  ｓｐｐ．）、アゾトバクター属の種（Ａｚｏｔｏｂａｃｔｅｒ  ｓｐｐ．）、トリコデルマ属の種（Ｔｏｒｉｃｈｏｄｅｒｍａ  ｓｐｐ．）およびサッカロミセス属の種（Ｓａｃｃｈａｒｏｍｙｃｅｓ  ｓｐｐ．）が挙げられる。より具体的には、有益な微生物として、バシラス・ポリミクサ（Ｂａｃｉｌｌｕｓ  ｐｏｌｙｍｙｘａ）、バシラス・サブティリス（Ｂａｃｉｌｌｕｓ  ｓｕｂｔｉｌｉｓ）、アゾトバクター・クルーコッカム（Ａｚｏｔｏｂａｃｔｅｒ  ｃｈｒｏｏｃｏｃｃｕｍ）、トリコデルマ・ハルジアナム（Ｔｏｒｉｃｈｏｄｅｒｍａ  ｈａｒｚｉａｎｕｍ）およびサッカロミセス・セレビシエ（Ｓａｃｃｈａｒｏｍｙｃｅｓ  ｃｅｒｅｖｉｓｉａｅ）が挙げられる。また、指定された植物成長促進機能を得るために、他の有益な微生物を選択することができ、それらは、微生物の多様性およびバランスを与えるために、細菌、菌類、および／または酵母を含むことができる。有益な微生物は、土壌環境で生存し得る土壌分離株であることが好ましい。
【００１５】
微生物活性化剤としては、酵素前駆体、微生物代謝産物、有機酸、炭水化物、酵素および／または微量元素が挙げられる。微生物活性化剤としては、例えば、酵母自己消化物などの加工酵母製品、腐植物質、海草抽出物、デンプン、アミノ酸、および／またはＺｎ、Ｆｅ、Ｃｕ、Ｍｎ、ＢおよびＭｏなどの微量元素が挙げられる。微生物活性化剤は、植物の成長促進に使用する有益な微生物の働きを強化するために、選択し、組み合わせ、使用することができる。具体的には、微生物活性化剤は、微生物の代謝を増進させ、その増殖を促進し、そして生化学物質の産生を増加させるように構成される。
【００１６】
植物成長促進組成物は、有益な微生物を約１〜約５０重量％（ｗｔ％）、好ましくは約１〜約２０ｗｔ％、より好ましくは約１〜約１０ｗｔ％含有することができる。植物成長促進組成物は、微生物活性化剤を約５０〜約９９ｗｔ％、好ましくは約８０〜約９９ｗｔ％、より好ましくは約９０〜約９９ｗｔ％含有することができる。
【００１７】
他の実施形態では、植物成長促進組成物は、有益な微生物、微生物活性化剤および有機肥料を含有することができる。有益な微生物および微生物活性化剤は、既に上で記述したものと同じものであってよい。有機肥料としては、糞尿堆肥、生堆肥および／または各種食物および／またはバイオ燃料プロセスから排出された有機廃棄物が挙げられる。有機肥料としては、また、植物の成長を促進し得るものとして当業者に知られている他の有機物質も挙げられる。
【００１８】
本実施形態においては、植物成長促進組成物は、有益な微生物を約１〜約２０ｗｔ％、好ましくは約１〜約１０ｗｔ％、より好ましくは約１〜約５ｗｔ％含有することができる。植物成長促進組成物は、微生物活性化剤を約５〜約５０ｗｔ％、好ましくは約１０〜約４０ｗｔ％、より好ましくは約２５〜約３５ｗｔ％含有することができる。植物成長促進組成物は、有機肥料を約３０〜約９４ｗｔ％、好ましくは約５０〜約８９ｗｔ％、より好ましくは約６０〜約７４ｗｔ％含有することができる。
【００１９】
さらに他の実施形態においては、植物成長促進組成物は、有益な微生物、微生物活性化剤、有機肥料および化学肥料を含有することができる。有益な微生物、微生物活性化剤および化学肥料は、既に上で記述したものと同じものであってよい。化学肥料としては、植物の成長を助ける栄養分である窒素、リン酸塩および／またはカリウムを付与し得る様々な化学物質が挙げられる。化学肥料としては、例えば、尿素、リン酸カルシウム、リン酸カリウムおよび／または窒素‐リン酸塩‐カリウム（ＮＰＫ）混合肥料が挙げられる。混合肥料としては、また、この分野で知られている他の物質も挙げられる。
【００２０】
本実施形態においては、植物成長促進組成物は、有益な微生物を約０．１〜約１０ｗｔ％、好ましくは約０．１〜約５ｗｔ％含有することができる。植物成長促進組成物は、微生物活性化剤を約２〜約５０ｗｔ％、好ましくは約５〜約５０ｗｔ％、より好ましくは約５〜約４０ｗｔ％含有することができる。植物成長促進組成物は、有機肥料を約５〜約９２．９ｗｔ％、好ましくは約１０〜約８９．９ｗｔ％、より好ましくは約１０〜約７４ｗｔ％含有することができる。植物成長促進組成物は、化学肥料を約５〜約９２．９ｗｔ％、好ましくは約５〜約８４．９ｗｔ％、より好ましくは約２０〜約８４．９ｗｔ％含有することができる。
【００２１】
上述したいかなる実施形態においても、組成物は粉末、顆粒、ペレットまたは液体の形状に調製することができる。組成物は、また、植物の成長を促進する基肥および／または追肥用として使用することができる。
【００２２】
植物の成長を促進する方法は、植物成長促進組成物を施用する工程を含む。植物成長促進組成物は、単独で施用してもよく、有機肥料、化学肥料、またはそれらの混合物と組み合わせて施用してもよい。植物成長促進組成物は、有機肥料および／または化学肥料の効率を高め、かつ農地の継続的使用のために土壌の特性および品質を向上させることができるように構成されていることが好ましい。組成物は、また、植物の病原菌を減らすことができるように構成されていることが好ましい。
【００２３】
植物成長促進組成物の製造方法は、原料を粉砕し混合する工程、粉砕され混合された原料を８０〜３００℃の温度で乾燥して造粒生成物を得る工程、造粒生成物を微生物および糖蜜と混合する工程、および混合された造粒物を８０℃以下の温度で乾燥することによって前記組成物を得る工程を含む。造粒プロセスは、有益な微生物、微生物活性化剤、有機肥料および／または化学肥料を含む植物成長促進組成物の製造に使用することができる。造粒の第１の工程においては、生成された顆粒を高温で乾燥するが、一方、造粒の第２の工程においては、図９Ａおよび９Ｂに示すように、低温乾燥が用いられる。原料には、有機または化学肥料で既に記載したものなど、肥料を製造する分野の技術に精通した者に一般に知られているものが使用される。
【００２４】
以下、本発明の好ましい実施形態について詳細に説明し、その例もまた以下に説明する。本発明の代表的な実施形態を詳細に説明するが、本発明を明確にするために、本発明の理解にあたってあまり重要でない特徴を示さないことがあることは、当業者には明らかであろう。
【００２５】
さらに、植物成長促進組成物が下記に説明する実施形態そのものに限定されるものではなく、また、当業者が本発明の精神および要旨を逸脱しない範囲で種々変更および修正可能であることは理解されるべきである。例えば、本明細書および添付した請求項の範囲内で、異なる実施形態の構成要素および／または特徴を相互に組み合わせたり、かつ／または相互に置換したりすることができる。
【実施例１】
【００２６】
実施例１：選択されたトリコデルマ属（Ｔｏｒｉｃｈｏｄｅｒｍａ）株の効果
この実施例では、選択されたトリコデルマ属（Ｔｏｒｉｃｈｏｄｅｒｍａ）菌が有機肥料の効率を高め得ることを示すポット試験を実施した。ポッティング用マトリックス材として、砂壌土を用い、試験用植物としてトマト（リコペルシコン・エスクレンタム（Ｌｙｃｏｐｅｒｓｉｃｏｎ  ｅｓｃｕｌｅｎｔｕｍ））を使用し、有機肥料として堆肥を使用した（０．５％ｗ／ｗ）。鉢のサイズは、直径、高さが共に１０ｃｍであった。トマトの苗を移植する前に、４種類の施用量（すなわち、１０１、１０４、１０６および１０７ＣＦＵ／ｇ土壌、それぞれ施用量１、２、３および４と記す）でトリコデルマ属（Ｔｏｒｉｃｈｏｄｅｒｍａ）菌をポッティングミックスに加えた。菌を接種せず、有機肥料のみを加えた苗を、土壌対照試料とした。
【００２７】
図１Ａおよび１Ｂに示すように、収穫時（３８日目）、植物量を根乾燥重量およびシュート乾燥重量として測定した。図１Ａにおいて、菌を接種した苗（施用量２、３および４）の根の植物量は、菌を接種しなかった苗（対照土壌）のそれよりはるかに大きかった。根乾燥重量は、微生物の施用量の増加に伴い増大した。同様に、図１Ｂにおいて、菌を接種した苗（施用量２、３および４）のシュートの植物量もまた、非植菌苗（対照土壌）のそれよりはるかに大きかった。シュート乾燥重量は、微生物の施用量の増加に伴い増大した。
【００２８】
その結果、この実施例は、トリコデルマ属（Ｔｏｒｉｃｈｏｄｅｒｍａ）菌が有機肥料の効率を顕著に増大させるとともに、その効果に用量‐応答関係があることを示した。
【実施例２】
【００２９】
実施例２：微生物ブレンドの効果
この実施例では、選択された微生物ブレンド（バシラス・ポリミクサ（Ｂａｃｉｌｌｕｓ  ｐｏｌｙｍｙｘａ）、バシラス・サブティリス（Ｂａｃｉｌｌｕｓ  ｓｕｂｔｉｌｉｓ）、トリコデルマ・ハルジアナム（Ｔｏｒｉｃｈｏｄｅｒｍａ  ｈａｒｚｉａｎｕｍ）およびサッカロミセス・セレビシエ（Ｓａｃｃｈａｒｏｍｙｃｅｓ  ｃｅｒｅｖｉｓｉａｅ））が有機肥料の効率を高め得ることを示すポット試験を実施した。ポッティング用マトリックス材として、砂壌土を用い、試験用植物としてトマト（リコペルシコン・エスクレンタム（Ｌｙｃｏｐｅｒｓｉｃｏｎ  ｅｓｃｕｌｅｎｔｕｍ））を使用し、有機肥料として堆肥を使用した（０．５％ｗ／ｗ）。鉢のサイズは、直径、高さが共に１０ｃｍであった。トマトの苗を移植する前に、３種類の施用量（すなわち、１０２、１０３および１０４ＣＦＵ／ｇ土壌、それぞれＭ１、Ｍ２およびＭ３と記す）で微生物ブレンドをポッティングミックスに加えた。菌を接種せず、有機肥料のみを加えた苗を、対照試料（Ｃｔｒｌ）とした。
【００３０】
４１日目に、植物の高さ、キャノピー、茎サイズおよびクロロフィル指数を測定し、表１〜４に記録し、そして図２Ａ〜２Ｄに示した。図２Ｂにおいて、菌を接種した苗（Ｍ１、Ｍ２およびＭ３）のキャノピーは、非植菌苗（Ｃｔｒｌ）のそれよりはるかに大きかった。同様に、図２Ｄにおいて、菌を接種した苗（Ｍ２）のクロロフィル指数もまた、菌を接種しなかった苗（Ｃｔｒｌ）のそれよりはるかに大きかった。菌を接種した苗の植物高さ（図２ＡのＭ１およびＭ３）と、菌を接種した苗の茎直径（図２ＣのＭ２およびＭ３）も、また、菌を接種しなかった苗（Ｃｔｒｌ）のそれよりはるかに大きかった。その結果、この実施例は、選択された微生物ブレンドが有機肥料の効率を顕著に増大させることを示した。
【００３１】
【表１】
2010530350.tif 000002
【００３２】
【表２】
2010530350.tif 000003
【００３３】
【表３】
2010530350.tif 000004
【００３４】
【表４】
2010530350.tif 000005
【実施例３】
【００３５】
実施例３：トリコデルマ属（Ｔｏｒｉｃｈｏｄｅｒｍａ）株に対する微生物活性化剤の効果
この実施例では、種々の微生物活性化剤を添加したトリコデルマ属（Ｔｏｒｉｃｈｏｄｅｒｍａ）菌を、その効果を示すポット試験において、トマトの苗に施用した。実験は、実施例１に記載したのと同様に組み立てた。表５に、この実施例で使用した各種活性化剤処方の組成を示す。それらには、酵母自己消化物、腐植粉末およびアミノ酸を含む微量栄養素が含まれた。
【００３６】
【表５】
2010530350.tif 000006
【００３７】
図３Ａ〜３Ｄに示すように、３５日目に、植物の高さ、茎サイズ、シュート乾燥重量および根乾燥重量を測定した。示したように、植物キャノピー、茎直径、根乾燥重量およびシュート乾燥重量に関し、酵母自己消化物、腐植粉末、および／または微量栄養素を添加した微生物（処理Ｐ２−０．２、Ｐ３−８、Ｐ４−０．０５およびＰ９−０．２）は、微生物単独（処理Ｐ０）で処理したものに比べ、はるかに大きな値を示した。
【００３８】
その結果、この実施例は、選択された微生物活性化剤処方がトリコデルマ属（Ｔｏｒｉｃｈｏｄｅｒｍａ）菌の能力を大きく向上させ、それによって生物の成長が促進されることを示した。
【実施例４】
【００３９】
実施例４：バシラス属（Ｂａｃｉｌｌｕｓ）株に対する微生物活性化剤の効果
この実施例では、種々の微生物活性化剤を添加したバシラス・サブティリス（Ｂａｃｉｌｌｕｓ  ｓｕｂｓｔｉｌｉｓ）菌を、その効果を示すポット試験において、トマトの苗に施用した。実験は、実施例１に記載したのと同様に組み立てた。表６に、この実施例で使用した各種活性化剤処方の組成を示す。それらには、酵母自己消化物、腐植粉末および微量栄養素が含まれた。
【００４０】
【表６】
2010530350.tif 000007
【００４１】
図４Ａ〜４Ｄに示すように、２１日目に、植物の高さ、キャノピー、シュート乾燥重量および根乾燥重量を測定した。示したように、植物の高さ、キャノピー、シュート乾燥重量および根乾燥重量に関し、酵母自己消化物、腐植粉末、および／または微量栄養素を添加した微生物（処理Ｐ５、Ｐ６、Ｐ７−４、Ｐ７−８、Ｐ８およびＰ９）は、微生物単独（処理Ｐ２）で処理したものに比べ、はるかに大きな値を示した。
【００４２】
その結果、この実施例は、選択された微生物活性化剤処方がバシラス・サブティリス（Ｂａｃｉｌｌｕｓ  ｓｕｂｓｔｉｌｉｓ）菌の能力を大きく向上させ、それによって生物の成長が促進されることを示した。
【実施例５】
【００４３】
実施例５：微生物ブレンドに対する微生物活性化剤の効果
この実施例では、種々の微生物活性化剤を添加した微生物ブレンドを、その効果を示すポット試験において、トマトの苗に施用した。実験は、実施例２に記載したのと同様に組み立てた。トマトの苗の移植前に、微生物活性化剤を５種の処方、すなわち、１０４個の微生物＋処方１（Ｆ１）、１０４個の微生物＋処方２（Ｆ２）、１０４個の微生物＋処方３（Ｆ３）、１０４個の微生物＋処方４（Ｆ４）、１０４個の微生物＋処方５（Ｆ５）で、ポッティングミックスに加えた。表７に、この実施例で使用した各種活性化剤処方の組成を示す。それらには、酵母自己消化物、腐植粉末および微量栄養素が含まれた。
【００４４】
【表７】
2010530350.tif 000008
【００４５】
４１日目に、植物の高さ、キャノピー、茎直径およびクロロフィル指数を測定し、表８〜１１に記録し、そして図５Ａ〜５Ｄに示した。図５Ｂおよび５Ｄに示すように、キャノピーおよびクロロフィル指数に関しては、酵母自己消化物、腐植粉末、および／または微量栄養素を添加した微生物ブレンド（Ｆ１、Ｆ３、Ｆ４およびＦ５）は、微生物ブレンド単独（Ｍ３）の組成のものに比べ、はるかに大きな値を示した。図５Ａに示すように、植物の高さに関しては、腐植粉末、および微量栄養素を添加した微生物ブレンド（それぞれＦ２およびＦ３）は、微生物ブレンド単独（Ｍ３）の組成のものに比べ、はるかに大きな値を示した。図５Ｃに示すように、茎直径に関しては、酵母自己消化物、または腐植粉末を含む酵母自己消化物を添加した微生物ブレンド（それぞれＦ１およびＦ４）は、微生物ブレンド単独（Ｍ３）の組成のものに比べ、はるかに大きな値を示した。
【００４６】
その結果、この実施例は、選択された微生物活性化剤処方が微生物ブレンドの能力を大きく向上させ、それによって生物の成長が促進されることを示した。
【００４７】
【表８】
2010530350.tif 000009
【００４８】
【表９】
2010530350.tif 000010
【００４９】
【表１０】
2010530350.tif 000011
【００５０】
【表１１】
2010530350.tif 000012
【実施例６】
【００５１】
実施例６：有機肥料（ミルマッド）の効果を高める組成物の施用
この実施例では、４種の試料：２種のミルマッドからなる有機肥料試料（ＦＶ−Ｍｉｌｌ  ＭｕｄおよびＦＣ−Ｍｉｌｌ  Ｍｕｄ）と、植物成長促進組成物を含有する２種のミルマッドからなる有機肥料試料（ＦＶ−ＮＳ−１およびＦＣ−ＮＳ−１Ｓ）を試験した。ＦＶ−ＮＳ−１は、微生物ブレンド１．５％、酵母自己消化物２％および有機肥料９６．５％（ＦＶ−Ｍｉｌｌ  Ｍｕｄ６０％および充填剤３６．５％含有）から構成された。ＦＶ−ＮＳ−１Ｓは、微生物ブレンド１．５％、酵母自己消化物２％および有機肥料９６．５％（ＦＣ−Ｍｉｌｌ  Ｍｕｄ６０％および充填剤３６．５％含有）から構成された。
【００５２】
図６Ａおよび６Ｂに示すように、５６日目まで７日毎に、試料植物の高さおよび冠直径を測定した。示したように、植物高さおよび冠直径に関し、植物成長促進組成物を含むミルマッドからなる有機肥料試料（ＦＶ−ＮＳ−１およびＦＣ−ＮＳ−１Ｓ）は、ミルマッド単独の有機肥料試料（ＦＶ−Ｍｉｌｌ  ＭｕｄおよびＦＣ−Ｍｉｌｌ  Ｍｕｄ）に比べ、はるかに大きな値を示した。
【００５３】
図６Ｃおよび６Ｄに示すように、６９日目に試料の根量およびシュート量を測定した。示したように、根量およびシュート量に関し、植物成長促進組成物を含むミルマッドからなる有機肥料試料（ＦＶ−ＮＳ−１およびＦＣ−ＮＳ−１Ｓ）は、ミルマッド単独の有機肥料試料（ＦＶ−Ｍｉｌｌ  ＭｕｄおよびＦＣ−Ｍｉｌｌ  Ｍｕｄ）に比べ、はるかに大きな値を示した。
【００５４】
その結果、この実施例は、植物成長促進組成物がミルマッドなどの有機肥料の能力を大きく向上させることを示した。
【実施例７】
【００５５】
実施例７：化学肥料を含む組成物の効果
この実施例では、実施例２で使用したような微生物ブレンドと微生物活性化剤とを共に含む組成物を用いて、種々の混合肥料生成物を製造した。この混合肥料生成物の組成物は、微生物ブレンド、微生物活性化剤、有機肥料、窒素化学肥料、リン酸化学肥料およびカリウム化学肥料を含んだ。図９Ａおよび９Ｂに示す方法により、混合肥料生成物を製造した。
【００５６】
この実施例では、ポット試験によって試験される６つの試料においてベビー白菜を用いた。表１２に、試料の説明および組成を記載する。図７Ａ〜７Ｃに示すように、収穫時にシュート量を測定した。示したように、シュート量に関し、微生物ブレンド、微生物活性化剤および有機物を含む植物成長促進組成物試料（Ｍ−Ｏ−ＮＰＫ１、Ｍ−Ｏ−ＮＰＫ２およびＭ−Ｏ−ＮＰＫ３））は、化学肥料を単独で含む試料（ＮＰＫ１、ＮＰＫ２およびＮＰＫ３）に比べ、はるかに大きな値を示した。
【００５７】
その結果、この実施例は、植物成長促進組成物および有機物が化学肥料の能力を大きく向上させることを示した。
【００５８】
【表１２】
2010530350.tif 000013
【実施例８】
【００５９】
実施例８：化学肥料を含む微生物ブレンドの安定性
この実施例では、化学肥料液に使用したときの微生物の安定性を示す試験を実施した。微生物ブレンドをＮＰＫ肥料液に加え、ある期間にわたって微生物数を測定した。図８に示すように、微生物数が大きく減少することはなかった。このことは、選択された微生物の化学肥料との併用が商業的に可能であることを示唆した。
【００６０】
植物成長促進組成物の実施例を記載したが、組成物、その製造方法およびその使用方法は限定されるものではなく、変更可能であることは理解されるべきである。植物成長促進組成物の範囲は添付した請求項によって定義され、文字通り、またはそれと等価に、請求項の範囲に入る組成物および方法はすべてそれに包含されるものとする。
【００６１】
［参考文献］
アルマス・ザイド（Ａｌｍａｓ  Ｚａｉｄｉ）およびモハマド・サギール・カーン（Ｍｏｈａｍｍａｄ  Ｓａｇｈｉｒ  Ｋｈａｎ）、２００５年、Ｃｏ−ｉｎｏｃｕｌａｔｏｎ  Ｅｆｆｅｃｔｓ  ｏｆ  Ｐｈｏｓｐｈａｔｅ  Ｓｏｌｕｂｉｌｉｚｉｎｇ  Ｍｉｃｒｏｏｒｇａｎｉｓｍｓ  ａｎｄ  Ｇｌｏｍｕｓ  Ｆａｓｃｉｃｕｌａｔｕｍ  ｏｎ  Ｇｒｅｅｎ  Ｇｒａｍ‐Ｂｒａｄｙｒｈｉｚｏｂｉｕｍ  Ｓｙｍｂｉｏｓｉｓ．、ターキッシュ・ジャーナル・オブ・アグリカルチャー・アンド・フォレストリー（Ｔｕｒｋ  Ｊ  Ａｇｔｉｃ  Ｆｏｒ）、第３０巻、ｐ．２２３−２３０
【００６２】
アルトメア・シー（Ａｌｔｏｍａｒｅ  Ｃ）、ノーベル・ダブリュ・エー（Ｎｏｒｖｅｌｌ  ＷＡ）、ビョルクマン・ティー（Ｂｊｏｒｋｍａｎ  Ｔ）、ハーマン・ジー・イー（Ｈａｒｍａｎ  ＧＥ）、１９９９年、Ｓｉｌｕｂｉｌｉｚａｔｉｏｎ  ｏｆ  ｐｈｏｓｐｈａｔｅｓ  ａｎｄ  ｍｉｃｒｏｎｕｔｒｉｅｎｔｓ  ｂｙ  ｔｈｅ  ｐｌａｎｔ‐ｇｒｏｗｔｈ  ｐｒｏｍｏｔｉｎｇ  ａｎｄ  ｂｉｏｃｏｎｔｒｏｌ  ｆｕｎｇｕｓ  Ｔｒｉｃｈｏｄｅｒｍａ  Ｈａｒｚｉａｎｕｍ  Ｒｉｆａｉ  ｓｔｒａｉｎ  １２９５−２２、アプライド・アンド・エンバイロメンタル・マイクバイオロジー（Ａｐｐｌ  Ｅｎｖｉｒｏｎ  Ｍｉｃｒｏｂｉａｌ）、第６５巻、ｐ．２９２６−２９３３
【００６３】
エラッド・ワイ（Ｅｌａｄ，Ｙ．）およびカパット・エー（Ｋａｐａｔ，Ａ．）、１９９９年、Ｔｈｅ  ｒｏｌｅ  ｏｆ  Ｔｒｉｃｈｏｄｅｒｍａ  Ｈａｒｚｉａｎｕｍ  ｐｒｏｔｅａｓｅ  ｉｎ  ｔｈｅ  ｂｉｏｃｏｎｔｒｏｌ  ｏｆ  Ｂｏｔｒｙｔｉｓ  ｃｉｎｅｒｅａ．、ヨーロピアン・ジャーナル・オブ・プラント・パソロジー（Ｅｕｒ．Ｊ．ｐｌａｎｔ  Ｐａｔｈｏｌ．）、第１０５巻、ｐ．１７７−１８９
【００６４】
フランシスコ・ジェイ・セジュード（Ｆｒａｎｓｉｓｃｏ  Ｊ．ＣＥＪＵＤＯ）およびアントニオ・パネク（Ａｎｔｏｎｉｏ  ＰＡＮＥＱＵＥ）、１９８６年、Ｓｈｏｒｔ‐ｔｅｒｍ  Ｎｉｔｒａｔｅ（Ｎｉｔｒｉｔｅ）Ｉｎｈｉｂｉｔｉｏｎ  ｏｆ  Ｎｉｔｒｏｇｅｎ  Ｆｉｘａｔｉｏｎ  ｉｎ  Ａｚｏｔｏｂａｃｔｅｒ  ｃｈｒｏｏｃｏｃｃｕｍ．、ジャーナル・オブ・バクテリオロジー（Ｊｏｕｒｎａｌ  ｏｆ  Ｂａｃｔｅｒｉｏｌｏｇｙ）、第１６５巻、ｐ．２４０−２４３
【００６５】
グラウ・エフ・エイチ（Ｇｒａｕ，Ｆ．Ｈ．）およびウィルソン・ピー・ダブリュ（Ｗｉｌｓｏｎ，Ｐ．Ｗ．）、１９６２年、Ｐｈｙｓｉｏｌｏｇｙ  ｏｆ  ｎｉｔｒｏｇｅｎ  ｆｉｘａｔｉｏｎ  ｂｙ  Ｂａｃｉｌｌｕｓ  ｐｏｌｙｍｙｘａ．、ジャーナル・オブ・アプライド・ケミストリー・アンド・バイオテクノロジー（Ｊｏｕｒｎａｌ  ｏｆ  Ａｐｐｌｉｅｄ  Ｃｈｅｍｉｓｔｒｙ  ａｎｄ  Ｂｉｏｔｅｃｈｎｏｌｏｇｙ）、第８３巻、ｐ．４９０−４９６
【００６６】
ホール・エフ・ビー（Ｈｏｌｌ，Ｆ．Ｂ．）、チャンウェイ・シー・ピー（Ｃｈａｎｗａｙ，Ｃ．Ｐ．）、ターキントン・アール（Ｔｕｒｋｉｎｇｔｏｎ，Ｒ．）およびラドレー・アール・エー（Ｒａｄｌｅｙ，Ｒ．Ａ．）、１９８８年、Ｒｅｓｐｏｎｓｅ  ｏｆ  ｃｒｅｓｔｅｄ  ｗｈｅａｔ  ｇｒａｓｓ（Ａｇｒｏｐｙｒｏｎ  ｃｒｉｓｔａｔｕｍ  Ｌ．），ｐｅｒｅｎｎｉａｌ  ｒｙｅｇｒａｓｓ（Ｌｏｌｉｕｍ  ｐｅｒｅｎｎｅ  Ｌ．）ａｎｄ  ｗｈｉｔｅ  ｃｌｏｖｅｒ（Ｔｒｉｆｏｌｉｕｍ  ｒｅｐｅｎｓ  Ｌ．）ｔｏ  ｉｎｏｃｕｌａｔｉｏｎ  ｗｉｔｈ  Ｂａｃｉｌｌｕｓ  ｐｏｌｙｍｙｘａ．、ソイルバイオロジー・アンド・バイオケミストリー（Ｓｏｉｌ  Ｂｉｏｌｏｇｙ  ａｎｄ  Ｂｉｏｃｈｅｍｉｓｔｒｙ）、第２０巻、ｐ．１９−２４
【００６７】
ハウエル・シー・アール（Ｈｏｗｅｌｌ，Ｃ．Ｒ．）、ハンソン・エル・イー（Ｈａｎｓｏｎ，Ｌ．Ｅ．）、スティパノビック・アール・デー（Ｓｔｉｐａｎｏｖｉｃ，Ｒ．Ｄ．）およびパックヘーバー・エル・エス（Ｐｕｃｋｈａｂｅｒ，Ｌ．Ｓ．）、２０００年、Ｉｎｄｕｃｔｉｏｎ  ｏｆ  ｔｅｒｐｅｎｏｉｄ  ｓｙｎｔｈｅｓｉｓ  ｉｎ  ｃｏｔｔｏｎ  ｒｏｏｔｓ  ａｎｄ  ｃｏｎｔｒｏｌ  ｏｆ  Ｒｈｉｚｏｃｔｏｎｉａ  ｓｏｌａｎｉ  ｂｙ  ｓｅｅｄ  ｔｒｅａｔｍｅｎｔ  ｗｉｔｈ  Ｔｒｉｃｈｏｄｅｒｍａ  ｖｉｒｅｎｓ．、フィトパソロジー（Ｐｈｙｔｏｐａｔｈｏｌｏｇｙ）、第９０巻、ｐ．２４８−２５２
【００６８】
ヨハネ・ザイドラー（Ｊｏｈａｎｎｅｓ  Ｚｅｉｄｌｅｒ）、ブライアン・ジー・セイヤー（Ｂｒｉａｎ  Ｇ．Ｓａｙｅｒ）およびイアン・デー・スペンサー（Ｉａｎ  Ｄ．Ｓｐｅｎｓｅｒ）、２００３ａ年、Ｂｉｏｓｙｎｔｈｅｓｉｓ  ｏｆ  Ｖｉｔａｍｉｎ  Ｂ１  ｉｎ  Ｙｅａｓｔ．Ｄｅｒｉｖａｔｉｏｎ  ｏｆ  ｔｈｅ  Ｐｙｒｉｍｉｄｉｎｅ  Ｕｎｉｔ  ｆｒｏｍ  Ｐｙｒｉｄｏｘｉｎｅ  ａｎｄ  Ｈｉｓｔｉｄｉｎｅ．Ｉｎｔｅｒｍｅｄｉａｃｙ  ｏｆ  Ｕｒｏｃａｎｉｃ  Ａｃｉｄ．、ジャーナル・オブ・ザ・アメリカン・ケミカル・ソサイティー（Ｊ．Ａｍ．Ｃｈｅｍ．Ｓｏｃ．）、第１２５巻、第４３号、ｐ．１３０９４−１３１０５
【００６９】
ヨハネ・ザイドラー（Ｊｏｈａｎｎｅｓ  Ｚｅｉｄｌｅｒ）、ラム・ナス・グッタ（Ｒａｍ  Ｎａｔｈ  Ｇｕｐｔａ）、ブライアン・ジー・セイヤー（Ｂｒｉａｎ  Ｇ．Ｓａｙｅｒ）およびイアン・デー・スペンサー（Ｉａｎ  Ｄ．Ｓｐｅｎｓｅｒ）、２００３ｂ年、Ｂｉｏｓｙｎｔｈｅｓｉｓ  ｏｆ  Ｖｉｔａｍｉｎ  Ｂ６  ｉｎ  Ｙｅａｓｔ．Ｉｎｃｏｒｐｏｒａｔｉｏｎ  ｐａｔｔｅｒｎ  ｏｆ  Ｔｒｉｏｓｅｓ．、ジャーナル・オブ・オーガニック・ケミストリー（Ｊ．Ｏｒｇ．Ｃｈｅｍ．）、第６８巻、第９号、ｐ．３４８６−３４９３
【００７０】
セルディン・エル（Ｓｅｌｄｉｎ，Ｌ．）、ヴァン・エルザス・ジェィ・デー（ｖａｎ  Ｅｌｓａｓ，Ｊ．Ｄ．）およびペニド・イー・ジー・シー（Ｐｅｎｉｄｏ，Ｅ．Ｇ．Ｃ．）、１９８３年、Ｂａｃｉｌｌｕｓ  ｎｉｔｒｏｇｅｎ  ｆｉｘｅｒｓ  ｆｒｏｍ  Ｂｒａｚｉｌｉａｎ  ｓｏｉｌｓ．、プラント・アンド・ソイル（Ｐｌａｎｔ  ａｎｄ  Ｓｏｉｌ）、第７０巻、ｐ．２４３−２５５
【００７１】
トロ・エム（Ｔｏｒｏ  Ｍ）、アズコン・アール（Ａｚｃｏｎ  Ｒ）、バレア・ジェィ・エム（Ｂａｒｅａ  ＪＭ．）、１９９８年、Ｔｈｅ  ｕｓｅ  ｏｆ  ｉｓｏｔｏｐｉｃ  ｄｉｌｕｔｉｏｎ  ｔｅｃｈｎｉｑｕｅｓ  ｔｏ  ｅｖａｌｕａｔｅ  ｔｈｅ  ｉｎｔｅｒａｃｔｉｖｅ  ｅｆｆｅｃｔｓ  ｏｆ  Ｒｈｉｚｏｂｉｕｍ  ｇｅｎｏｔｙｐｅ，ｍｙｃｏｒｒｈｉｚａｌ  ｆｕｎｇｉ，ｐｈｏｓｐｈａｔｅ‐ｓｏｌｕｂｉｚｉｎｇ  ｒｈｉｚｏｂａｃｔｅｒｉａ  ａｎｄ  ｒｏｃｋ  ｐｈｏｓｐｈａｔｅ  ｏｎ  ｎｉｔｒｏｇｅｎ  ａｎｄ  ｐｈｏｓｐｈｏｒｕｓ  ａｃｑｕｉｓｉｔｉｏｎ  ｂｙ  Ｍｅｄｉｃａｇｏ  ｓａｔｉｖａ．、ニュー・フィトロジスト（Ｎｅｗ  Ｐｈｙｔｏｌｏｇｉｓｔ）、第１３８巻、ｐ．２６５−２７３
【００７２】
ワタナベ・ケィ（Ｗａｔａｎａｂｅ  Ｋ）、サカイ・ジェィ（Ｓａｋａｉ  Ｊ）、ハヤノ・ケィ（Ｈａｙａｎｏ  Ｋ）、２００３年、Ｂａｃｔｅｒｉａｌ  ｅｘｔｒａｃｅｌｌｕｌａｒ  ｐｒｏｔｅａｓｅ  ａｃｔｉｖｉｔｉｅｓ  ｉｎ  ｆｉｅｌｄ  ｓｏｉｌｓ  ｕｎｄｅｒ  ｄｉｆｆｅｒｅｎｔ  ｆｅｒｔｉｌｉｚｅｒ  ｍａｎａｇｅｍｅｎｔｓ、カナディアン・ジャーナル・オブ・マイクロバイオロジー（Ｃａｎ  Ｊ  Ｍｉｃｒｏｂｉｏｌ．）、第４９巻、第５号、ｐ．３０５−１２
【００７３】
イェディディア・アイ（Ｙｅｄｉｄｉａ，Ｉ．）、ベンハモウ・エヌ（Ｂｅｎｈａｍｏｕ，Ｎ．）およびチェット・アイ（Ｃｈｅｔ，Ｉ．）、１９９９年、Ｉｎｄｕｃｔｉｏｎ  ｏｆ  ｄｅｆｅｎｓｅ  ｒｅｓｐｏｎｓｅｓ  ｉｎ  ｃｕｃｕｍｂｅｒ  ｐｌａｎｔｓ（Ｃｕｃｕｍｉｓ  ｓａｔｉｖｕｓ  Ｌ．）ｂｙ  ｔｈｅ  ｂｉｏｃｏｎｔｒｏｌ  ａｇｅｎｔ  Ｔｒｉｃｈｏｄｅｒｍａ  ｈａｒｚｉａｎｕｍ．、アプライド・アンド・エンバイロメンタル・マイクバイオロジー（Ａｐｐｌ．Ｅｎｖｉｒｏｎ．Ｍｉｃｒｏｂｉｏｌ．）、第６５巻、ｐ．１０６１−１０７０
【図１Ａ】
2010530350.tif 000014
【図１Ｂ】
2010530350.tif 000015
【図２Ａ】
2010530350.tif 000016
【図２Ｂ】
2010530350.tif 000017
【図２Ｃ】
2010530350.tif 000018
【図２Ｄ】
2010530350.tif 000019
【図３Ａ】
2010530350.tif 000020
【図３Ｂ】
2010530350.tif 000021
【図３Ｃ】
2010530350.tif 000022
【図３Ｄ】
2010530350.tif 000023
【図４Ａ】
2010530350.tif 000024
【図４Ｂ】
2010530350.tif 000025
【図４Ｃ】
2010530350.tif 000026
【図４Ｄ】
2010530350.tif 000027
【図５Ａ】
2010530350.tif 000028
【図５Ｂ】
2010530350.tif 000029
【図５Ｃ】
2010530350.tif 000030
【図５Ｄ】
2010530350.tif 000031
【図６Ａ】
2010530350.tif 000032
【図６Ｂ】
2010530350.tif 000033
【図６Ｃ】
2010530350.tif 000034
【図６Ｄ】
2010530350.tif 000035
【図７Ａ】
2010530350.tif 000036
【図７Ｂ】
2010530350.tif 000037
【図７Ｃ】
2010530350.tif 000038
【図８】
2010530350.tif 000039
【図９Ａ】
2010530350.tif 000040
【図９Ｂ】
2010530350.tif 000041
【国際調査報告】
2010530350.tif 000042
2010530350.tif 000043
2010530350.tif 000044